(57)【要約】【課題】それぞれ異なる機能を発揮する３個の部材で構成してある美容器具であって、使用すべき部材をユーザーの意図通りに連結相手から的確に分離して、一連の美容処理を少ない手間で手際よく行なうことができる美容器具を提供する。【解決手段】それぞれ異なる機能を発揮する第１部材１と、第２部材２と、第３部材３を備えている。第１部材１と第２部材２は第１連結構造で、第２部材２と第３部材３は第２連結構造で、それぞれ着脱自在に連結されて１個の美容器具を構成している。第１連結構造はねじ構造で構成し、第２連結構造は圧嵌係合構造で構成する。これにより、各連結構造の連結状態を解除するときの操作方向あるいは操作力を異ならせる。【選択図】図１
2014073242.tif 000002
【特許請求の範囲】
【請求項１】
それぞれ異なる機能を発揮する第１部材（１）と、第２部材（２）と、第３部材（３）を備えており、第１部材（１）と第２部材（２）は第１連結構造で、第２部材（２）と第３部材（３）は第２連結構造で、それぞれ着脱自在に連結されて１個の美容器具を構成しており、
第１連結構造と第２連結構造は、連結状態を解除するときの操作方向および／または操作力が異なるように、それぞれの連結構造が異ならせてあることを特徴とする美容器具。
【請求項２】
第１部材（１）と第２部材（２）を連結した状態における第１連結構造の連結強度が、第２部材（２）と第３部材（３）を連結した状態における第２連結構造の連結強度より大きく設定されており、
第３部材（３）の分離操作を、第１部材（１）および第２部材（２）の分離操作に先行して行うことができる請求項１に記載の美容器具。
【請求項３】
第１連結構造がねじ構造で構成され、第２連結構造が圧嵌係合構造で構成してある請求項１または２に記載の美容器具。
【請求項４】
請求項１から３のいずれかひとつの美容器具において、
第１部材（１）がマスカラ液を収容する容器または保護キャップからなり、第２部材（２）が容器（１）または保護キャップに対して着脱される塗布体からなり、第３部材（３）が塗布体（２）に対して着脱される整形体からなり、
塗布体（２）は、容器（１）に着脱されるキャップ（１０）と、容器（１）の内部に差し込まれる中空軸状の塗布ロッド（１１）と、塗布ロッド（１１）の端部に設けられる塗布部（１２）とを備えており、
整形体（３）は、塗布体（２）に着脱される整形グリップ（２０）と、塗布ロッド（１１）に差し込み収納される整形ロッド（２１）と、整形ロッド（２１）の端部に設けられる加熱整形部（２２）と、加熱整形部（２２）の内部に設けられるヒーター（２９）とを備えており、
整形体（３）を塗布体（２）に装着した状態において、整形体（３）の加熱整形部（２２）が塗布ロッド（１１）の塗布部（１２）の内部に収納してあるマスカラ塗布用の美容器具。
【請求項５】
請求項４の美容器具において、
第１連結構造が、容器（１）または保護キャップの出入口（４）に設けたねじ軸（５）と、キャップ（１０）に設けたねじキャップ（５２）とで構成されており、
第２連結構造が、キャップ（１０）に設けた連結ボス（１６）の周面に周回状に形成される連結溝（５５）と、整形グリップ（２３）の内部に設けた複数の弾性連結腕（６８）を含む圧嵌係合構造で構成してあるマスカラ塗布用の美容器具。
【発明の詳細な説明】
【技術分野】
【０００１】
本発明は、マスカラ塗布具、口紅塗布具、アイライナー、アイシャドー、クレンジング器などの美容器具に関する。本発明に係る美容器具は、それぞれ異なる機能を発揮する３個の部材で構成されていて、各部材を連結することにより１個の美容器具として取扱うことができる。
【背景技術】
【０００２】
本発明に関して、美容器具を異なる機能を発揮する複数個の部材で構成することは、特許文献１に公知である。そこでは、マスカラ液を収容する容器と、塗布ヘッドを備えたキャップなどで塗布器具（美容器具）を構成している。摘みを兼ねるキャップの内部には、加熱装置の電源となる電池が配置してあり、キャップと一体化された塗布ヘッドの内部には、抵抗加熱素子が配置してある。容器にねじ込まれたキャップを容器から取外すと、給電用の回路が閉じられて抵抗加熱素子を発熱させることができ、この熱で塗布ヘッドの基部表面に付着したマスカラ液を加熱して均一に拡散し流動させた状態でまつ毛に塗布できる。
【０００３】
同様の美容器具は特許文献２にも開示されている。そこでは、マスカラ液を収容する容器と、ブラシ棒を支持する取っ手（キャップ）とでマスカラパッケージを構成している。ブラシ棒の下部には、発熱体を備えた発熱塗布部が設けてあり、取っ手の外面に配置したスイッチノブをオン操作することにより発熱体に通電して発熱塗布部を加熱できる。使用時には、容器にねじ込まれた取っ手を取外すことにより、発熱塗布部の外面のブリッスルに付着したマスカラ液を、加熱された状態でまつ毛に塗布できる。さらに、発熱塗布部を容器内に収容した状態のままで、スイッチノブをオン操作することにより、低温のマスカラ液を加熱してその粘度を低下させることができる。
【先行技術文献】
【特許文献】
【０００４】
【特許文献１】特開２００８−２１２６８８号公報（段落番号００３１〜００３２、図２）
【特許文献２】特表２００９−５３２０８３号公報（段落番号００３３、図２）
【発明の概要】
【発明が解決しようとする課題】
【０００５】
特許文献１のマスカラ塗布具によれば、キャップを容器から取外す動作に連動して抵抗加熱素子を発熱させ、塗布ヘッドに付着したマスカラ液を加熱し均一に拡散し流動させた状態でまつ毛に塗布できる。しかし、特許文献１のマスカラ塗布具は、マスカラ液をまつ毛に塗布する機能を備えているに過ぎない。そのため、前段のまつ毛をカールする作業と、後段のまつ毛に付着したダマ（マスカラ塊）を除去する作業を行う際に、別途まつ毛整形具とマスカラコームを用意する必要があり、一連の作業が煩雑で化粧に多くの手間が掛かってしまう。
【０００６】
その点、特許文献２のマスカラ塗布具は、発熱塗布部にまつ毛をカールする櫛と、マスカラ液を塗布するブラシとが設けてあるので、一連の作業を少ない手間で行うことができる。しかし、まつ毛をカールするための櫛がブラシと共に、容器内のマスカラ液に浸漬されるため、まつ毛をカールする際には、櫛に付着したマスカラ液を除去する必要があり、余分な手間が掛かる。マスカラ液が無駄に消費される不利もある。
【０００７】
上記のように従来の美容器具は、美容処理を順序だてて行う際に手間が掛かる点、あるいは、化粧料等が無駄に消費される点で改善の余地があった。本発明者等は、これらの問題点を解決するために検討を重ねた結果、それぞれ異なる機能を発揮できる３個の部材で美容器具を構成すると、美容器具を多機能化して使い勝手を向上できることを見出した。また、収納時に各部材がばらばらになったり、異なる収納場所に紛込むのを防止する必要上、不使用時には各部材を連結して１個の美容器具として取扱えるようにした。しかし、各部材を連結して１個の美容器具とした場合には、使用すべき部材を連結相手から的確に分離できずに、意図していない部材が分離されてしまうおそれがあり、その点の配慮が不可欠であることを確認した。
【０００８】
本発明は上記の知見に基づき提案されたものであって、使用すべき部材をユーザーの意図通りに連結相手から的確に分離でき、しかも一連の美容処理を少ない手間で手際よく行なうことができる美容器具を提供することにある。
【課題を解決するための手段】
【０００９】
本発明の美容器具は、それぞれ異なる機能を発揮する第１部材１と、第２部材２と、第３部材３を備えている。第１部材１と第２部材２は第１連結構造で、第２部材２と第３部材３は第２連結構造で、それぞれ着脱自在に連結されて１個の美容器具を構成している。第１連結構造と第２連結構造は、連結状態を解除するときの操作方向および／または操作力が異なるように、それぞれの連結構造が異ならせてあることを特徴とする。
【００１０】
連結状態を解除するときの操作方向が異なる連結構造としては、例えば、第１連結構造をねじ構造で形成し、第２連結構造を圧嵌係合構造で形成する。あるいは、第１連結構造を右ねじ構造で形成し、第２連結構造を左ねじ構造で形成する。また、連結状態を解除するときの操作力が異なる連結構造としては、第１連結構造と第２連結構造のそれぞれをねじ構造で形成し、いずれか一方のねじ直径を他方のねじ直径より小さくする。ねじピッチやねじのリードを大小に異ならせ、あるいは一方を多条ねじで形成し、さらにねじ山を断続的に形成するなどにより、連結状態を解除するときの操作力を大小に異ならせてもよい。同様に、第１連結構造と第２連結構造のそれぞれを圧嵌係合構造で構成する場合には、いずれか一方の圧嵌係合構造の直径や係合幅を異ならせて、連結状態を解除するときの操作力を大小に異ならせることができる。
【００１１】
第１部材１と第２部材２を連結した状態における第１連結構造の連結強度を、第２部材２と第３部材３を連結した状態における第２連結構造の連結強度より大きく設定して、第３部材３の分離操作を、第１部材１および第２部材２の分離操作に先行して行えるようにする。
【００１２】
第１連結構造をねじ構造で構成し、第２連結構造を圧嵌係合構造で構成する。
【００１３】
第１部材１はマスカラ液を収容する容器または保護キャップからなる。第２部材２は容器１または保護キャップに対して着脱される塗布体からなる。第３部材３は塗布体２に対して着脱される整形体からなる。塗布体２は、容器１に着脱されるキャップ１０と、容器１の内部に差し込まれる中空軸状の塗布ロッド１１と、塗布ロッド１１の端部に設けられる塗布部１２とを備えている。整形体３は、塗布体２に着脱される整形グリップ２０と、塗布ロッド１１に差し込み収納される整形ロッド２１と、整形ロッド２１の端部に設けられる加熱整形部２２と、加熱整形部２２の内部に設けられるヒーター２９とを備えている。整形体３を塗布体２に装着した状態において、整形体３の加熱整形部２２を塗布ロッド１１の塗布部１２の内部に収納する。
【００１４】
第１連結構造は、容器１または保護キャップの出入口４に設けたねじ軸５と、キャップ１０に設けたねじキャップ５２とで構成する。第２連結構造は、キャップ１０に設けた連結ボス５４の周面に周回状に形成される連結溝５５と、整形グリップ２０の内部に設けた複数の弾性連結腕６８を含む圧嵌係合構造で構成する。
【発明の効果】
【００１５】
本発明の美容器具は、それぞれ異なる機能を発揮する第１部材１と、第２部材２と、第３部材３とで構成するので、美容器具を多機能化して使い勝手を向上できる。また、各部材１・２・３を第１連結構造と第２連結構造で連結した状態において、１個の美容器具として取扱えるようにするので、収納時に各部材がばらばらになったり、異なる収納場所に紛込むのを防止できる。さらに、第１連結構造と第２連結構造の連結状態を解除するときの操作方向や操作力が異なるようにするので、各部材１・２・３のいずれかひとつを使用する際に、使用すべき部材をユーザーの意図通りに連結相手から的確に分離でき、全体として一連の美容処理を少ない手間で手際よく行なうことができる美容器具を提供できる。
【００１６】
第１連結構造の連結強度が第２連結構造の連結強度より大きく設定してあると、第３部材３の分離操作を、第１部材１および第２部材２の分離操作に先行して行うことができる。例えば、第１連結構造と第２連結構造のそれぞれがねじ構造、あるいは圧嵌係合構造で構成してある場合であっても、第３部材３の分離操作を他に先行して行なうことができる。従って、各部材１・２・３のうち最も使用頻度が高い部材を第３部材３とすることにより、その着脱を迅速に行って美容器具の使い勝手を向上することができる。
【００１７】
第１連結構造をねじ構造で構成し、第２連結構造を圧嵌係合構造で構成すると、第１部材１と第２部材２の着脱操作（ねじ回し操作）に比べて、第２部材２に対する第３部材３の着脱操作を著しく単純な抜差し操作で行なうことができる。従って、使用頻度が高い第３部材３の着脱をさらに簡便に行うことができる。
【００１８】
容器１または保護キャップと、塗布体２、および整形体３でマスカラ塗布用の美容器具を構成し、整形体３を塗布体２に装着した状態において、整形体３の加熱整形部２２が塗布体２の塗布ロッド１１の内部に収納されるようにした。このように、塗布体２と整形体３を備えたマスカラ塗布用の美容器具によれば、整形体３を塗布体２から分離することにより、整形体３の加熱整形部２２でまつ毛を加熱しながら整形することができる。また、加熱整形部２２を塗布体２の塗布ロッド１１の内部に収納した状態で使用することにより、塗布部１２に含ませたマスカラ液をまつ毛に塗布できる。さらに、塗布体２を利用して不使用状態の整形体３を収納するので、整形体３が他の化粧用具に紛れ込んだり、紛失するのをよく防止できるうえ、整形体３に設けた加熱整形部２２を塗布ロッド１１で保護できる。さらに、環境温度が低い場合には、加熱整形部２２に設けたヒーター２９を発熱させて、その熱で塗布部１２に含ませたマスカラ液を加熱した状態で塗布することができるので、マスカラ液を効果的に塗布できる。
【００１９】
第１連結構造をねじ軸５とねじキャップ５２とで構成し、第２連結構造を連結溝５５と複数の弾性連結腕６８を含む圧嵌係合構造で構成すると、第１部材１と第２部材２の着脱操作（ねじ回し操作）に比べて、第２部材２に対する第３部材３の着脱操作を著しく単純な抜差し操作で行なうことができる。また、弾性連結腕６８が弾性変形しながら連結溝５５に対して係脱するので、第３部材３の着脱操作をさらに小さな力で軽快に行なうことができる。
【図面の簡単な説明】
【００２０】
【図１】本発明に係る美容器具の連結構造を示す縦断正面図である。
【図２】本発明に係るマスカラ塗布具の側面図である。
【図３】本発明に係るマスカラ塗布具の分解断面図である。
【図４】図８におけるＡ−Ａ線断面図である。
【図５】加熱整形部の縦断側面図である。
【図６】使用状態における塗布体の縦断側面図である。
【図７】図６におけるＢ−Ｂ線断面図である。
【図８】塗布体と整形体の連結構造を示す縦断側面図である。
【図９】スイッチ用の節度構造を示す縦断正面図である。
【図１０】図８におけるＣ−Ｃ線断面図である。
【図１１】スイッチノブを第１オン位置へ切換えた状態を示す縦断側面図である。
【図１２】スイッチノブを第２オン位置へ切換えた状態を示す縦断側面図である。
【図１３】スイッチノブと制御回路の関係を示す説明図である。
【図１４】ヒーターの温度制御形態を示すブロック図である。
【図１５】コンパレータの動作原理を示すタイミングチャートである。
【図１６】整形体を塗布体から分離した状態の縦断正面図である。
【図１７】整形体を塗布体から分離した状態の一部破断側面図である。
【図１８】塗布体を容器から分離した状態の一部破断側面図である。
【図１９】本発明に係る美容器具の別実施例を示す一部破断側面図である。
【図２０】本発明に係る美容器具のさらに別の実施例を示す一部破断側面図である。
【図２１】本発明に係る美容器具のさらに別の実施例を示す一部破断側面図である。
【図２２】本発明に係る美容器具のさらに別の実施例を示す一部破断側面図である。
【図２３】本発明に係る美容器具のさらに別の実施例を示す一部破断側面図である。
【図２４】本発明に係る美容器具のさらに別の実施例を示す一部破断側面図である。
【図２５】本発明に係る美容器具のさらに別の実施例を示す一部破断側面図である。
【図２６】本発明に係る美容器具のさらに別の実施例を示す一部破断側面図である。
【図２７】本発明に係る美容器具のさらに別の実施例を示す一部破断側面図である。
【図２８】図２７に係る美容器具の一部破断側面図である。
【図２９】図２７に係る美容器具の使用状態を示す一部破断側面図である。
【図３０】図２７に係る美容器具における制御回路の概略を示す説明図である。
【発明を実施するための形態】
【００２１】
（実施例）  図１ないし図１８は本発明をマスカラ塗布具（美容器具）に適用した実施例を示す。本発明における前後、左右、上下とは、図２に示す交差矢印と、各矢印の近傍に表記した前後、左右、上下の表示に従う。
【００２２】
図２においてマスカラ塗布具は、それぞれ異なる機能を発揮する第１部材と、第２部材と、第３部材とで構成する。この実施例においては、マスカラ液を収容する容器１が第１部材であり、容器１に対して着脱される塗布体２が第２部材であり、塗布体２に対して着脱される整形体３が第３部材である。容器１と塗布体２は、第１連結構造で着脱自在に連結されており、塗布体２と整形体３は、第２連結構造で着脱自在に連結されている。容器１と塗布体２と整形体３の３者を第１、第２の両連結構造で連結した状態では、マスカラ塗布具を１個の美容器具として取扱うことができる。
【００２３】
容器１は円筒状に形成してあり、その上端に塗布体２の出入口４が開口してある。出入口４の周面には、第１連結構造を構成するねじ軸５が形成してあり、出入口４の内面には余分に付着したマスカラ液をしごき落とすワイパー６が設けてある。ワイパー６は、ゴムまたはプラスチック材で形成した筒体からなり、その底壁にしごき開口７が形成してある。
【００２４】
図３において塗布体２は、容器１の出入口４に着脱される円筒状のキャップ１０と、容器１の内部に差込まれる先端側が閉塞された中空軸状の塗布ロッド１１と、塗布ロッド１１の下端部に設けられる塗布部１２とで構成する。キャップ１０には、第１連結構造を構成する連結部と、第２連結構造を構成する連結部とが設けてある。前者連結部は、キャップ１０の殆どを占めるねじキャップ５２で構成されており、その内面に、先のねじ軸５に対応するねじ穴１６が形成してある。キャップ１０の外面には上下方向に長い位置決めリブ５３が形成してある。上記のように第１連結構造は、ねじ軸５と、ねじ穴１６を備えたねじキャップ５２とでねじ構造として構成してある。
【００２５】
第２連結構造を構成する連結部は、ねじキャップ５２の上部に連続する連結ボス５４の周面に周回状に形成される連結溝５５からなる。連結ボス５４の外直径は、ねじキャップ５２の外直径より小さく設定してあり、連結ボス５４の基端とねじキャップ５２との間の肩壁が、後述するストッパー９３の規制部５６として機能する。連結ボス５４の内面に、先の塗布ロッド１１の上端に設けたロッドボス５７を圧嵌係合することにより、塗布ロッド１１がキャップ１０に対して分離不能に一体化してある。
【００２６】
図６に示すように、塗布部１２は塗布ロッド１１の周囲後面に形成した櫛歯（塗布要素）１８の一群で構成されており、隣接する櫛歯１８の間にマスカラ液を保持することができる。図７に示すように、櫛歯１８は先端が丸められた舌片状に形成してある。塗布部１２の全体をヒーター２９の熱で速やかに加熱するために、櫛歯１８を支持する塗布部１２の周囲壁の厚みは、他の周囲壁の厚みより薄く設定してある。
【００２７】
整形体３は、グリップを兼ねる円筒状の整形グリップ２０と、整形グリップ２０の下部から下向きに突出する中空の整形ロッド２１と、整形ロッド２１の下端（突端）に設けられる加熱整形部２２と、加熱整形部２２の内部に配置されるヒーター２９などで構成する。図３に示すように、整形グリップ２０の上半後面には樋体状の電池蓋２４が着脱可能に設けてあり、その下側に樋体状の基板カバー６０が配置してある。整形グリップ２０の内部には、電池３３、制御基板６１、スイッチ構造などが収容してある。また、整形グリップ２０の下端部分の前面には、ヒーター２９への通電状態をオン・オフするスイッチノブ３４が設けてあり、後面には先の位置決めリブ５３を受入れる位置決め溝５８が形成してある。スイッチノブ３４の下端は、整形グリップ２０とキャップ１０との接当部に臨んでいる。
【００２８】
図３において整形グリップ２０の内部で、制御基板６１を収容する区画の下端には、リング状の取付けボス６３が整形グリップ２０と一体に形成してあり、この取付けボス６３に整形ロッド２１の上部が圧嵌装着してある。また、キャップ１０の連結ボス５４を着脱するための連結リング６４が取付けボス６３に固定してある。図４に示すように、連結リング６４の上面および下面の左右の対向位置には、それぞれ一対の係合爪６７と、弾性連結腕６８が突設してある。さらに、連結リング６４の周面の前後の対向位置には、後述するストッパー９３をスライド案内するガイド凹部６９と、位置決め凹部７０とが形成してある。
【００２９】
図１に示すように、一対の係合爪６７を、先の取付けボス６３に設けた係合溝７１に下面側から係合することにより、連結リング６４が取付けボス６３に分離不能に固定される。このとき、位置決め凹部７０が整形グリップ２０の内面に設けた位置決め突起７２で位置決めされる（図４参照）。弾性連結腕６８の下端内面には、断面が半円状の連結爪７３が設けてあり、この連結爪７３が連結ボス５４の連結溝５５と係脱することにより、塗布体２と整形体３を一体化し、あるいは整形体３を塗布体２から分離することができる。このように第２連結構造は、連結ボス５４に設けた連結溝５５と、同溝５５に係脱する連結爪７３を備えた弾性連結腕６８とで圧嵌係合構造として構成してある。
【００３０】
図５に示すように、整形ロッド２１は、前ロッド体２１ａと後ロッド体２１ｂとを蓋合わせ状に接合して形成してある。加熱整形部２２は、後ロッド体２１ｂの下端に設けてあり、上下方向へ一定間隔おきに配置した多数個の櫛歯２８で構成されて、その内部にヒーター２９とサーミスター７５と、感温変色素子７６とが配置してある。櫛歯２８の間は加熱窓７７として開口されており、各加熱窓７７においてヒーター２９の外表面が露出させてある。図７に示すように、櫛歯２８は、その突出寸法に比べて前後寸法が充分に大きな花弁状に形成してある。
【００３１】
図５においてヒーター２９は、内外一対の絶縁シート７８・７９と、両絶縁シート７８・７９の間に挟み保持される発熱素子８０とで面状ヒーターとして構成してあり、これら３者は熱硬化性の接着材で一体に固定してある。ヒーター２９を前後のロッド体２１ａ・２１ｂで確りと固定保持するために、前ロッド体２１ａの内面の多数個所にヒーター支持突起８１を設け、同突起８１と櫛歯２８とでヒーター２９の内外面を挟持している。
【００３２】
サーミスター７５はヒーター２９の上下方向の中央部に配置されており、前ロッド体２１ａの内面とサーミスター７５との間に配置した耐熱性のスポンジ（弾性体）８２で移動付勢されて、ヒーター２９の内面に密着している。感温変色素子７６の変色状態を視認するために、前ロッド体２１ａの下端寄りに視認窓８３が開口してある。ユーザーは、ヒーター２９を通電状態にしたのち、視認窓８３を介して感温変色素子７６の呈色状態を確認することにより、ヒーター２９の発熱状態が適温状態になったことを知ることができる。図４に示すように、後ロッド体２１ｂの内部には、発熱素子８０用のリード線８４と、サーミスター７５用のリード線８５を収容するリード線溝８６が区分壁を介して形成してある。
【００３３】
図８および図３においてスイッチ構造は、スイッチノブ３４でスライド操作される端子板８９と、端子板８９に固定される一対の山形の可動端子９０と、制御基板６１に設けた固定端子（図示していない）と、節度構造などで構成する。スイッチノブ３４は、整形グリップ２０の前面のノブ座９２で上下スライド自在に案内支持されており、その内面に棒状のストッパー９３と、一対の操作爪９４とが設けてある。ストッパー９３および操作爪９４のスライドを許すために、ノブ座９２にはスライド開口９５が形成してある。ノブ座９２の内面壁はストッパー９３をスライド案内するガイド壁を兼ねている。
【００３４】
スイッチノブ３４の下端には、不使用状態においてスイッチノブ３４がオン状態に切換わるのを防ぐ規制片９６が内向きに張出してある。ここでの不使用状態とは、整形体３が装着された塗布体２のねじ穴１６を容器１のねじ軸５に、最後までねじ込んだ状態を意味しており、この状態の規制片９６は容器１の肩壁で受止められている。また、スイッチノブ３４がオン状態に切換わっていた場合には、塗布体２をねじ軸５にねじ込むのに伴って規制片９６が容器１の肩壁で押上げられるため、スイッチノブ３４は強制的にオフ状態に切換えられる。
【００３５】
端子板８９のスイッチノブ３４との対向面には、操作爪９４と係合する四角形状の係合ボス９８が設けてある。図９において節度構造は、端子板８９の長辺部と一体に形成した弾性アーム９９と、弾性アーム９９の中央外面に設けた節度突起１００と、３個の節度凹部１０１を備えた一対の固定壁１０２などで構成する。固定壁１０２は整形グリップ２０の周囲壁の内面に一体に成形してある。
【００３６】
整形体３を使用してまつ毛を整形する場合の加熱整形部２２の温度状態と、塗布体２を使用してマスカラ液をまつ毛に塗布する場合の塗布部１２の温度状態とをそれぞれ好適化するために、スイッチ構造をスイッチノブ３４で３段階に切換え操作している。具体的には、スイッチノブ３４がノブ座９２の上端に位置している図８の状態がオフ状態であり、オフ状態からスイッチノブ３４が１段階押下げスライドされた図１１の状態が第１のオン状態である。また、第１のオン状態からスイッチノブ３４がさらに１段階押下げスライドされた図１２の状態が第２のオン状態である。
【００３７】
第１のオン状態においては、図１４に示すコンパレータ１０５からスイッチング素子にヒーター駆動信号が出力され、電池３３から発熱素子８０に駆動電流が供給されてヒーター２９の温度が上昇する。これに伴い、サーミスター７５の温度が上昇して抵抗値が減少するため、サーミスター７５にかかる電圧が低くなり、サーミスター７５と直列に接続した制御抵抗にかかる電圧が上昇する。そして、制御抵抗にかかる電圧が、図１５に示す基準電圧（低温側の基準電圧）を越えた時点で、コンパレータ１０５の出力が停止され、発熱素子８０に対する駆動電流の供給が停止されて、ヒーター２９の温度が低下する。また、ヒーター２９の温度が低下すると、サーミスター７５の温度が低下して抵抗値が増加するので、サーミスター７５にかかる電圧が高くなり、先の制御抵抗にかかる電圧が低くなる。そして、制御抵抗にかかる電圧が基準電圧（低温側の基準電圧）より低下した時点で、コンパレータ１０５からスイッチング素子にヒーター駆動信号が出力され、発熱素子８０に対する駆動電流の供給が再開される。以後、これを繰り返して、ヒーター２９の発熱状態を低温状態（４０℃）に維持する。なお、ヒーター２９の発熱状態はマスカラ液の組成や粘度特性等に応じて設定すればよく、低温状態は４０℃以外であってもよい。
【００３８】
第２のオン状態においては、基準電圧が高温側の基準電圧に切換わって、これをもとに上記と同様な制御を行って、ヒーター２９の発熱状態を高温状態（７０℃）に維持する。なお、低温側基準電圧および高温側基準電圧を供給する電源部と、コンパレータ１０５などは制御基板６１に設けてある。
【００３９】
不使用状態のマスカラ塗布具は、図１および図２に示すようにキャップ１０に設けたねじ穴１６がねじ軸５にねじ込まれて、塗布体２が容器１と一体化してあり、この状態の塗布ロッド１１および塗布部１２は、容器１に収容されたマスカラ液に浸漬している。また、整形体３の整形ロッド２１が塗布体２の塗布ロッド１１の内部に収容されて、塗布体２の連結ボス５４に設けた連結溝５５が、連結リング６４の弾性連結腕６８で係合捕捉されている。この状態の整形ロッド２１は、閉鎖構造の塗布ロッド１１の内部に収容されているので、加熱整形部２２を含む整形ロッド２１の全体がマスカラ液に浸漬されることはない。従って、不使用状態において、容器１内のマスカラ液が整形ロッド２１に付着することはない。不使用状態においては、スイッチノブ３４の規制片９６が容器１の肩壁で受止められて、下方への移動が規制された状態になっている。そのため、スイッチノブ３４が不用意に、第１のオン状態、あるいは第２のオン状態に切換わるのを確実に防止できる。また、先に説明したように、スイッチノブ３４がオン状態に切換わっていた場合には、塗布体２をねじ軸５にねじ込むのに伴って規制片９６が容器１の肩壁で押上げられるため、スイッチノブ３４は強制的に図８に示すオフ状態に切換えられる。
【００４０】
マスカラ塗布具を使用する場合には、整形体３と塗布体２を択一的に使用することにより、まつ毛を整形しカールする作業と、マスカラ液を塗布する作業を行なうことができる。まつ毛を整形しカールする場合には、図１６に示すように、連結ボス５４の連結溝５５と弾性連結腕６８の係合を解除する向きに整形体３を塗布体２から引抜き、図１７に示すように加熱整形部２２を塗布ロッド１１から露出させる。その状態でスイッチノブ３４をスライド操作して第２のオン状態に切換え、ヒーター２９を発熱させる。しばらく待って、ヒーター２９の発熱状態が適温（７０℃）に加熱されたことを感温変色素子７６の呈色状態の変化で確認する。スイッチノブ３４を第２のオン状態に切換えた状態では、キャップ１０が塗布ロッド１１と共に容器１側に装着されているので、ストッパー９３がキャップ１０の規制部５６で受止められることはない。この状態の規制片９６は、図１２に示すように整形グリップ２０の下面開口より下方に位置している。
【００４１】
次に、櫛歯２８が上向きになる状態で整形ロッド２１を水平に支持し、まつ毛の湾曲中央部を櫛歯２８で梳き分けながら、ヒーター２９の外表面にまつ毛を接触させる。この状態で、まつ毛を上向きにすくい上げ、さらに加熱窓７７を眉毛の側へ回転させてまつ毛をカールさせる。さらに、カール部分をヒーター２９で加熱しながら、加熱整形部２２の全体を上向きに押し上げることにより、まつ毛を毛先部分まで確実にカールすることができる。同様にして、目頭側および目尻側のまつ毛を加熱整形部２２でカールすることができる。なお、まつ毛をカールさせるときは、捕捉したまつ毛がカール面３２に沿って横移動するのを櫛歯２８で規制でき、従って、隣接する櫛歯２８で捕捉したまつ毛の一群を適正にカールできる。
【００４２】
マスカラ液を塗布する場合には、整形体３を塗布体２に連結して加熱整形部２２を塗布ロッド１１内に収容し、再び整形体３を塗布体２と一体化する。この状態では図１０に示すように、ねじキャップ５２に設けた位置決めリブ５３が、整形グリップ２０に設けた位置決め溝５８と係合している。そのため、整形グリップ２０を緩み方向へ回動操作すると、ねじキャップ５２とねじ軸５とのねじ込み状態が解除されて、図１８に示すように塗布体２を容器１から取外すことができる。このときのキャップ１０は、連結リング６４の弾性連結腕６８で係合捕捉されている。
【００４３】
塗布体２を容器１から取外した状態で、スイッチノブ３４をオン操作すると、スイッチ構造が第１のオン状態に切換わってヒーター２９を発熱させ、塗布部１２を適温（４０℃）に保持できる。これにより、塗布部１２に付着したマスカラ液の温度を上げて、マスカラ液を均一に拡散し流動しやすい状態に調整して、櫛歯１８の間に保持されたマスカラ液をまつ毛に付着させることができる。マスカラ液が不足する場合には、塗布部１２を容器１内に数回出し入れしてマスカラ液を付着させ、塗布部１２の周囲に付着した余分なマスカラ液をワイパー６でしごき落として、再度マスカラ液をまつ毛に付着させる。最後にマスカラコームを使用して、まつ毛を数回梳き流すことにより、まつ毛のカール形状を整えることができる。容器１内に出し入れする際の塗布部１２は、容器１に対して上下に出し入れするだけであるので、ねじ軸５とねじ穴１４の端部同士が接当した位置より下方に差込まれることはなく、従って、スイッチノブ３４がオフ位置へ戻されることはない。
【００４４】
なお、環境温度が低い場合には、整形グリップ２０を緩み方向へ数回回動して、ねじキャップ５２と容器１の肩部との間に、規制片９６が下降移動できる隙間を確保したのち、スイッチノブ３４をオン操作してヒーター２９を発熱させ塗布部１２を加熱する。この場合には塗布部１２がヒーター２９で４０℃に加熱されるので、容器１内のマスカラ液を加熱して粘度を下げ流動性を与えることができる。
【００４５】
上記のように、スイッチノブ３４を第１のオン状態に切換えた状態では、図１１に示すように、ストッパー９３の先端がねじキャップ５２の肩部分に設けた規制部５６で受止められる。そのため、スイッチノブ３４が、第１のオン状態を越えて第２のオン状態に切換えられることはなく、塗布部１２の温度を４０℃に保持できる。
【００４６】
以上のように、整形体３を塗布体２に装着した状態におけるヒーター２９の発熱温度を低温状態に設定して、ヒーター２９の出力を抑制すると、塗布部１２の温度が不必要に高くなるのを防止できる。また、塗布部１２を容器１内のマスカラ液に浸漬した状態では、溶剤などの揮発成分がいたずらに蒸散してマスカラ液が変質し劣化するのを防止しながら、その粘度を低下できる。従って、適度の流動性を備えたマスカラ液を塗布部１２に付着させて、まつ毛に対するマスカラ液の塗布を好適に行なうことができる。また、整形体３を塗布体２から分離して、まつ毛の整形を行う状態におけるヒーター２９の発熱温度を高温状態に設定すると、加熱整形部２２の温度を高くして、まつ毛を効果的に加熱しながら整形して、的確にカールすることができる。
【００４７】
なお、整形体３が塗布体２に装着してあるときのヒーター２９の発熱温度が、整形体３を塗布体２から分離したときのヒーター２９の発熱温度と同じ高温状態に設定してある場合には、塗布部１２を容器１内に差込んでマスカラ液を加熱する際に、加熱熱量が過多となってマスカラ液が変質し劣化しやすい。このような状況を避けるには、例えば、塗布ロッド１１の内部空間を大きくし、あるいは塗布ロッド１１の肉厚を大きくすることで対応できるが、そうすると塗布ロッド１１が太くなり、あるいは直径が大きくなり、使い勝手が悪くなる。こうした、不具合を解消するために、整形体３を塗布体２に装着した状態におけるヒーター２９の発熱温度を低温状態に設定して、ヒーター２９の出力を抑制できようにしている。
【００４８】
上記の実施例においては、容器１と塗布体２を連結する第１連結構造をねじ構造で構成し、塗布体２と整形体３を連結する第２連結構造を圧嵌係合構造で構成して、各連結構造の連結状態を解除するときの操作方向が大きく異なるようにした。そのため、塗布体２を使用する場合には、整形グリップ２０を緩み側へ回動操作することで塗布体２を容器１から分離できる。また、整形体３を使用する場合には、整形グリップ２０を引抜き操作することにより、整形体３を塗布体２から取外すことができ、塗布体２と整形体３を間違えて取り外す余地がない。従って、使用すべき部材をユーザーの意図通りに連結相手から的確に分離でき、さらに、一連の美容処理を少ない手間で手際よく行なうことができる。殆どの場合には、整形体３を使用してまつ毛をカールしたのち、塗布体２を使用してマスカラ液をまつ毛に塗布するが、塗布体２に比べて使用頻度が高い整形体３を圧嵌係合構造を介して塗布体２に連結するので、整形体３の着脱操作を迅速にしかも容易に行なうことができる。
【００４９】
図１９ないし図２９は、本発明に係る美容器具の別の実施例を示す。以下の説明においては、上記の実施例と異なる部分を主に説明し、上記の実施例と同じ部材には同じ符号を付してその説明を省略する。
【００５０】
図１９に示す美容器具は口紅塗布具であって、粘性が高い口紅液を収容する容器１と、塗布体２と、口紅を塗り伸ばす口紅整形体（整形体）３とを備えている。容器１と塗布体２を連結する第１連結構造は、上記の実施例と同様にねじ軸５とねじキャップ５２とを含むねじ構造で形成する。また、塗布体２と口紅整形体３を連結する第２連結構造は、連結ボス５４に設けた連結溝５５と、整形グリップ２０内面に設けた周回状の連結リブ１２０とからなる圧嵌係合構造で形成する。容器１のねじ軸５の周囲は筒壁１２１で囲まれている。
【００５１】
塗布体２は、キャップ１０と、キャップ１０と一体に形成した塗布ロッド１１と、塗布ロッド１１の突端に固定される丸軸状の塗布部１２とで構成してあり、塗布部１２をスポンジ状の弾性多孔体で構成する点が先の実施例の塗布体２と異なっている。口紅整形体３は整形ロッド２１と、同ロッド２１の先端に設けられる加熱整形部２２を備えている。加熱整形部２２は棒状に形成してあり、その内部にヒーター２９が配置してある。連結溝５５に連結リブ１２０を圧嵌係合した状態において、整形グリップ２０の回動動作をキャップ１０に伝えるために、ねじキャップ５２の肩壁に複数個の係合穴１２２を凹み形成し、整形グリップ２０の端壁に係合穴１２２に差込係合される係合突起１２３を形成している。
【００５２】
図２０に示す美容器具はマスカラ塗布具であって、容器１と、塗布体２と、整形体３とを備えている。容器１と塗布体２を連結する第１連結構造は、出入口４の周壁に形成した連結溝１２４と、キャップ１０の内面に形成した連結リブ１２５とからなる圧嵌係合構造で形成した。また、塗布体２と口紅整形体３を連結する第２連結構造は、連結ボス５４の周囲に形成したねじ軸１２６と、整形グリップ２０の内面に形成したねじ穴１２７とからなるねじ構造で形成した。
【００５３】
図２１に示す美容器具はマスカラ塗布具であって、容器１と、塗布体２と、整形体３とを備えている。容器１と塗布体２を連結する第１連結構造は、図１から図１８で説明した実施例と同様にねじ軸５とねじキャップ５２とからなるねじ構造で形成する。また、塗布体２と整形体３を連結する第２連結構造は、キャップ１０の内面に設けたねじ穴１２７と、整形グリップ２０に設けたねじ軸１２６とからなるねじ構造で形成する。この場合には、第２連結構造のねじ直径が第１連結構造のねじ直径より小さく設定してあるので、整形グリップ２０に緩み方向の回転力が作用すると、第２連結構造が第１連結構造に先行して分離される。つまり、この実施例においては、第１連結構造と第２連結構造のねじ直径を異ならせることにより、両連結構造の連結状態を解除するときの操作力を大小に異ならせている。
【００５４】
図２２に示す美容器具はマスカラ塗布具であって、容器１と、塗布体２と、整形体３とを備えている。この実施例においては、図２１で説明したように、第１連結構造と第２連結構造を、それぞれねじ直径が同じねじ構造で構成するが、第１連結構造を左ねじで構成し、第２連結構造を右ねじで構成する点が異なる。この場合には、第１連結構造と第２連結構造の連結状態を解除するときの操作方向が正反対になる。塗布部１２はブリッスル束（塗布要素）１２９の一群を、塗布ロッド１１の周囲に放射状に植設して構成した。同様に、加熱整形部２２は、ブリッスル束（塗布要素）１３０の一群を、整形ロッド２１の周囲に放射状に植設して構成した。また、塗布ロッド１１の先端寄りに液通口１３１を開口して、加熱整形部２２を塗布ロッド１１の内部に収容した状態において、ブリッスル束１３０にマスカラ液を付着できるようにした。
【００５５】
図２３に示す美容器具はマスカラ塗布具であって、容器１と、塗布体２と、整形体３とを備えている。この実施例においては、第１連結構造を、図２０の連結構造と同様に連結溝１２４と連結リブ１２５とで圧嵌係合構造として構成した。また、第２連結構造を、図１９で説明した連結構造と同様に、連結溝５５と連結リブ１２０とで圧嵌係合構造として構成した。ただし、第１連結構造の連結溝１２４と連結リブ１２５の直径に比べて、第２連結構造の連結溝５５と連結リブ１２０の直径を小さく設定して、整形グリップ２０を引抜き操作するとき、第２連結構造の連結溝５５と連結リブ１２０が、第１連結構造よりも先に分離されるようにした。
【００５６】
図２４に示す美容器具は口紅塗布具であって、保護キャップ１が第１部材であり、口紅筆１３４を備えた塗布体２が第２部材であり、塗布体２に対して着脱される口紅容器３が第３部材である場合を示している。塗布体２は、キャップ１０の一端に筆ホルダー１３５を備えており、このホルダー１３５で先の口紅筆１３４を支持している。口紅容器３は棒状に固められた口紅１３６を収容する本体部１３７を有し、その端部に口紅１３６を出し入れ操作する操作キャップ１３８が回転自在に設けてある。
【００５７】
保護キャップ１と塗布体２を連結する第１連結構造は、保護キャップ１の内面に設けた連結リブ１４１と、筆ホルダー１３５の周面に形成した連結溝１４２とで構成してある。また、塗布体２と口紅容器３を連結する第２連結構造は、キャップ１０の内面に設けた連結溝１４３と、本体部１３７の周面の複数個所に断続的に形成した連結リブ１４４とで構成してある。第１連結構造と第２連結構造はそれぞれ圧嵌係合構造で形成するが、第２連結構造の連結リブ１４４を断続的に形成するので、保護キャップ１および塗布体２に先行して、口紅容器３を塗布体２から分離操作できる。なお、保護キャップ１を塗布体２から引抜き操作することにより、口紅筆１３４を露出させてもよく、さらに口紅容器３を塗布体２から引抜き操作することにより、口紅１３６を露出させてもよい。
【００５８】
図２５に示す美容器具はアイシャドーであって、保護キャップ１が第１部材であり、調整筆１４６を備えた塗布体２が第２部材であり、液状のアイシャドー１４７を収容する本体部１４８が第３部材である場合を示している。塗布体２は、キャップ１０の一端に筆ホルダー１４９を備えており、このホルダー１４９で先の調整筆１４６を支持している。本体部１４８には、アイシャドー１４７を塗布するためのシャドー筆１５０が設けてある。
【００５９】
保護キャップ１と塗布体２を連結する第１連結構造は、保護キャップ１の内面に設けた連結リブ１４１と、筆ホルダー１４９の周面に形成した連結溝１４２とで構成してある。また、塗布体２と本体部１４８を連結する第２連結構造は、キャップ１０の筒壁に埋設した第１磁石１５１と、本体部１４８の肉壁内に埋設した第２磁石１５２とで構成してある。塗布体２と本体部１４８を連結した状態において、第１磁石１５１と第２磁石１５２とは、互いに異なる磁極同士が正対して吸引作用を発揮している。両磁石１５１・１５２の吸引力に逆らって塗布体２と本体部１４８を分離することにより、保護キャップ１と塗布体２とが分離するのに先行して、シャドー筆１５０を露出させることができる。
【００６０】
図２６に示す美容器具はアイブロウであって、保護キャップ１が第１部材であり、丸軸状の塗布部１２を備えた塗布体２が第２部材であり、鉛筆状の眉墨ペン１５５を支持する本体部１４８が第３部材である。保護キャップ１の内奥には、固形の眉墨１５６が収容してある。眉墨１５６を塗布する塗布部１２は、スポンジ状の弾性多孔体で構成してある。
【００６１】
保護キャップ１と塗布体２を連結する第１連結構造は、保護キャップ１の筒壁に埋設した第３磁石１５７と、キャップ１０の筒壁に埋設した第１磁石１５１とで構成してある。また、塗布体２と本体部１４８を連結する第２連結構造は、キャップ１０の筒壁に埋設した第１磁石１５１と、本体部１４８の肉壁内に埋設した第２磁石１５２とで構成してある。保護キャップ１を塗布体２に連結した状態において、第３磁石１５７と第１磁石１５１とは、互いに異なる磁極同士が正対して吸引作用を発揮している。同様に、塗布体２と本体部１４８を連結した状態において、第１磁石１５１と第２磁石１５２とは、互いに異なる磁極同士が正対して吸引作用を発揮している。
【００６２】
この実施例においては、保護キャップ１と塗布体２と本体部１４８を連結した状態において、第３磁石１５７と第１磁石１５１の吸着面間の距離Ｌ１を、第１磁石１５１と第２磁石１５２の吸着面間の距離Ｌ２より小さく設定している。従って、本体部１４８を引っ張り操作すると、保護キャップ１と塗布体２とが分離するのに先行して、本体部１４８および眉墨ペン１５５を塗布体２から分離することができる。
【００６３】
図２７ないし図３０に示す美容器具は、肌面に電流を供給しながら美容処理を行なう肌面用美容器具であって、保護キャップ１が第１部材であり、保護キャップ１および本体部１４８に対して着脱されるシートホルダー１６０が第２部材であり、球面状の肌用電極１６１を備えた本体部１４８が第３部材である。
【００６４】
図２７において、本体部１４８は上下に長い本体ケース１６２を備えており、その下端に肌用電極１６１を有し、ケース上部にリング状のグリップ電極１６３が露出させてある。肌用電極１６１は導電性に優れた金属を素材にして、肌との接触面が半球状に形成されており、本体ケース１６２の下端に設けた丸軸状の電極ホルダー１６４で支持されている。本体部１４８の内部には電池１６５および制御基板１６６などが収容してあり、制御基板１６６には、パルス電流を生成する回路や、パルス電流の極性を逆に切換えるスイッチング回路などが設けてある。また、本体部１４８の前面には、スイッチボタン１６７が設けてある。
【００６５】
シートホルダー１６０は、上下両端が開口するホルダー本体１７０と、ホルダー本体１７０の下部に圧嵌装着される丸筒状のシートキャップ１７１とで構成してある。ホルダー本体１７０はプラスチック成形品からなり、その上端にねじ軸１７２を有し、上下中途部の周面に連結溝１７３が周回状に形成してある。また、ホルダー本体１７０の下部にシート保持筒１７４を設け、その周面にシート保持リブ１７５を形成している。ホルダー本体１７０を本体ケース１６２に連結した状態で、綿シートやガーゼなどの含液シート１７６を肌用電極１６１およびシート保持筒１７４に被せ付け、シートキャップ１７１をシート保持筒１７４に外嵌することにより、シート保持リブ１７５とシートキャップ１７１で含液シート１７６を挟持固定することができる（図２８参照）。
【００６６】
保護キャップ１とシートホルダー１６０を連結する第１連結構造は、保護キャップ１の筒壁の内面に形成した連結リブ１７９と、ホルダー本体１７０に形成した連結溝１７３とで圧嵌係合構造として構成してある。また、シートホルダー１６０と本体部１４８とを連結する第２連結構造は、ホルダー本体１７０に形成したねじ軸１７２と、本体ケース１６２の下部内面に形成したねじ穴１８０とでねじ構造として構成してある。シートホルダー１６０が本体部１４８に連結された状態であることを検知するために、電極ホルダー１６４の内部にリードスイッチ１８１を埋設し、ホルダー本体１７０の内面に磁石１８２を埋設している。第２連結構造を連結した状態では、磁石１８２によってリードスイッチ１８１がオン状態に切換えられるので、制御回路はシートホルダー１６０と本体部１４８とが連結されているものと判定して、極性がプラスのパルス電流を肌用電極１６１に供給する。
【００６７】
肌用美容器具は、肌用電極１６１にプラス側のパルス電流を、グリップ電極１６３にマイナス側のパルス電流を供給しながら使用するクレンジングモードと、各電極１６１・１６３に供給されるパルス電流の極性が逆に切換えられるイオン導入モードとのいずれかで使用することができる。クレンジングモードにおいては、図２８に示すように、シートホルダー１６０を第２連結構造を介して本体部１４８に連結したのち、含液シート１７６をシートキャップ１７１で肌用電極１６１に固定して化粧水などの美容用液をシートに含浸させる。この状態で、スイッチボタン１６７を押込んで、肌用電極１６１にプラス側のパルス電流が供給される状態で、含液シート１７６を肌面に沿って繰返し滑らせる。含液シート１７６が肌面に押付けられた状態では、肌用電極１６１とグリップ電極１６３とが人体を介して導通するため、パルス電流によってイオン導出作用を発揮して、毛穴などに入り込んでいた汚れが肌用電極１６１に吸着されて、含液シート１７６に捕捉される。
【００６８】
イオン導入モードにおいては、図２９に示すように、シートホルダー１６０を本体部１４８から分離して保護キャップ１に収納しておく。この状態では、リードスイッチ１８１がオフ状態に切換わるので、制御回路はシートホルダー１６０が本体部１４８から分離されているものと判定して、極性がマイナスのパルス電流を肌用電極１６１に供給する。この状態の肌用電極１６１を肌面に押付けた状態では、肌用電極１６１とグリップ電極１６３とが人体を介して導通するため、パルス電流によってイオン導入作用を発揮して、肌面に塗布した化粧水などの美容用液を肌に浸透させることができる。
【００６９】
上記の各実施例における第１部材と、第２部材と、第３部材との関係を重量の観点から見ると、第３部材の重量Ｗ３は、第１部材の重量Ｗ１、あるいは第２部材の重量Ｗ２よりも重く、式（Ｗ３＞Ｗ２＞Ｗ１）あるいは式（Ｗ３＞Ｗ１＞Ｗ２）を満足する関係にある。そのため、重量が大きな第３部材を他の部材に先行して取外すように設定しておくことにより、第２部材と第３部材とが連結された状態のままで、第３部材に先行して第１部材から取外される場合に比べて美容器具の使い勝手を向上できる。これは、第２部材の使用頻度が、第３部材の使用頻度よりも高い場合には、第２部材と第３部材を連結した状態、つまり第３部材を単独で使用する場合に比べて、重量がさらに大きな状態で第２部材を使用することになり、その使用を軽快に行なうことができず、美容器具の使い勝手が悪くなるからである。
【００７０】
第１連結構造と第２連結構造を圧嵌係合構造で構成する場合には、板ばねや線ばねで係合状態を保持できるように構成することができる。その場合には、各連結構造における板ばねや線ばねのばね力を大小に異ならせて、各連結構造の連結状態を解除するときの操作力を大小に異ならせることができる。
【符号の説明】
【００７１】
１  容器（第１部材）
２  塗布体（第２部材）
３  整形体（第３部材）
５  ねじ軸
１０  塗布グリップ
１１  塗布ロッド
１２  塗布部
１６  ねじ穴
２０  整形グリップ
２１  整形ロッド
２２  加熱整形部
２９  ヒーター
３３  電池
５２  ねじキャップ
５５  連結溝
６８  弾性連結腕
【図１】
2014073242.tif 000003
【図２】
2014073242.tif 000004
【図３】
2014073242.tif 000005
【図４】
2014073242.tif 000006
【図５】
2014073242.tif 000007
【図６】
2014073242.tif 000008
【図７】
2014073242.tif 000009
【図８】
2014073242.tif 000010
【図９】
2014073242.tif 000011
【図１０】
2014073242.tif 000012
【図１１】
2014073242.tif 000013
【図１２】
2014073242.tif 000014
【図１３】
2014073242.tif 000015
【図１４】
2014073242.tif 000016
【図１５】
2014073242.tif 000017
【図１６】
2014073242.tif 000018
【図１７】
2014073242.tif 000019
【図１８】
2014073242.tif 000020
【図１９】
2014073242.tif 000021
【図２０】
2014073242.tif 000022
【図２１】
2014073242.tif 000023
【図２２】
2014073242.tif 000024
【図２３】
2014073242.tif 000025
【図２４】
2014073242.tif 000026
【図２５】
2014073242.tif 000027
【図２６】
2014073242.tif 000028
【図２７】
2014073242.tif 000029
【図２８】
2014073242.tif 000030
【図２９】
2014073242.tif 000031
【図３０】
2014073242.tif 000032